(57)【要約】【課題】便器から洗浄水と共に排出される糞尿の分解・殺菌・消臭処理を行える、構造がシンプルで安価に実施出来る糞尿処理装置を提供する。【解決手段】便器１からの糞尿を洗浄水と共に受け入れる第一処理タンク２と高所に配設された第二処理タンク３とは、第一処理タンク２から第二処理タンク３へ液状処理物を送給するポンプ５を含む送給管路６と、第二処理タンク３から第一処理タンク１へ液状処理物をオーバーフローにより戻す自動開閉手段８を備えたオーバーフロー管路７で接続され、第二処理タンク３と最終処理タンク４とは、第二処理タンク３からのオーバーフロー水位Ｌ２より高い設定水位Ｌ３を超えたときに当該第二処理タンク２から最終処理タンク４へ液状処理物をサイフォン作用で流出させるサイフォン管路９で接続され、最終処理タンク４には、最終処理済みの液状処理物を取り出す開閉自在な排出口１０が設けられた構成。【選択図】図１
2011240239.tif 000002
【特許請求の範囲】
【請求項１】
便器からの糞尿を洗浄水と共に受け入れる第一処理タンクと、この第一処理タンクより高所に配設された第二処理タンクと、この第二処理タンクより低所に配設された最終処理タンクとを備え、第一処理タンクと第二処理タンクとは、第一処理タンク内に貯留された液状処理物を第二処理タンク内へ送給するポンプを含む送給管路と、第二処理タンク内に貯留された液状処理物を第一処理タンク内へオーバーフローにより戻すオーバーフロー管路で接続され、このオーバーフロー管路には、第一処理タンク内の貯留液状処理物が設定水位を超えているときに閉じられる自動開閉手段が設けられ、第二処理タンクと最終処理タンクとは、第二処理タンク内の貯留液状処理物の水位が前記オーバーフロー管路へのオーバーフロー水位より高い設定水位を超えたときに当該第二処理タンク内の貯留液状処理物をサイフォン作用で最終処理タンク内へ流出させるサイフォン管路で接続され、最終処理タンクには、当該最終処理タンク内に貯留された最終処理済みの液状処理物を取り出す開閉自在な排出口が設けられている、糞尿処理装置。
【請求項２】
第一処理タンクの長さ方向の一端外側には、最終処理タンクの排出口から排出される最終処理済み液状処理物を受け入れる容器を出し入れ自在に支持する容器収納空間が設けられ、この容器収納空間の上に最終処理タンクが配設され、この最終処理タンクの上に第二処理タンクが配設されている、請求項１に記載の糞尿処理装置。
【請求項３】
第二処理タンクの横には、便器へ送給される洗浄水を収容する洗浄水タンクが並設され、この第二処理タンクと洗浄水タンクとが、最終処理タンクの水平面上の輪郭を上方に延長させた筒状空間を埋めるように構成されている、請求項１又は２に記載の糞尿処理装置。
【請求項４】
第二処理タンクは、前記送給管路が開口する第一槽と、前記オーバーフロー管路とサイフォン管路が設けられた第二槽とに仕切られ、この第一槽と第二槽とは、第一槽内の上部と第二槽内の下部とを連通させる連通管路で接続され、第二槽内の液状処理物がサイフォン管路で最終処理タンク内へ流出するとき、前記連通管路の上端開口水位以下の第一槽内の液状処理物が残されるように構成された、請求項１〜３の何れか１項に記載の糞尿処理装置。
【請求項５】
サイフォン管路は、下端が最終処理タンク内に開口する垂直固定管と、この垂直固定管に引き抜き可能に外嵌された上端閉塞外側管とから構成され、この上端閉塞外側管が垂直固定管に対して外嵌された状態において、第二処理タンクの底部に開口する上端閉塞外側管の下端開口部と、垂直固定管と上端閉塞外側管との間の環状流路と、この環状流路の上端と垂直固定管の上端とを連通させる連通路が形成されるように構成され、第二処理タンクには、前記上端閉塞外側管の真上に位置する開閉自在な蓋が設けられている、請求項１〜４の何れか１項に記載の糞尿処理装置。
【請求項６】
オーバーフロー管路に設けられた前記自動開閉手段は、第一処理タンク内の貯留液状処理物の水位の変動に連動して上下動するフロートと、このフロートと上下逆方向に連動してオーバーフロー管路の出口を開閉する弁体から成る開閉弁とで構成され、前記弁体が、第一処理タンク内の貯留液状処理物が設定水位を超えたときにオーバーフロー管路の出口を閉じるように構成された、請求項１〜５の何れか１項に記載の糞尿処理装置。
【発明の詳細な説明】
【技術分野】
【０００１】
本発明は、便器から洗浄水と共に排出される糞尿の処理装置に関するものである。
【背景技術】
【０００２】
この種の糞尿処理装置として、特許文献１に記載されるように、便器から洗浄水と共に排出される糞尿を受け入れる処理タンクから被処理物を汲み出し、これを処理タンクに戻す液状物と乾燥手段に送り込む固形物とに分離し、乾燥手段に送り込まれた固形物を乾燥させて取り出すように構成された糞尿処理装置が考えられていた。このような糞尿処理装置では、乾燥固形物の廃棄処理が必要であるところから、最近では、便器から洗浄水と共に排出される糞尿を処理タンク内で分解促進菌を併用するなどして分解し、さらにこの分解処理後の液状処理物をオゾン処理などにより殺菌消臭処理を行なうことにより、最終的には雨水と同じように取り扱える液状処理物に変化させることが出来る特別な残渣処理が不要な糞尿処理装置が考えられている。
【先行技術文献】
【特許文献】
【０００３】
【特許文献１】特開２００７−１３０５３５号公報
【発明の概要】
【発明が解決しようとする課題】
【０００４】
上記のような特別な残渣処理が不要な糞尿処理装置では、液状処理物の分解処理を行なう分解処理タンクと最終的な殺菌消臭処理を行なう最終処理タンクとが併設され、最終処理タンク内での最終処理が完了した液状処理物を排出して空になった最終処理タンクに分解処理タンク内から所要量の液状処理物を送給するための送給手段が必要である。分解処理タンク内の液状処理物を汲み出して最終処理タンクに送り込む場合は、前記送給手段としてポンプが必要であり、分解処理タンク内の液状処理物を重力で下位の最終処理タンクに送り込む場合は、前記送給手段として電磁弁が必要である。何れの場合も、自動制御のための手段を含めて構造が複雑になり、コストアップは免れない。
【課題を解決するための手段】
【０００５】
本発明は、上記のような従来の問題点を解消することの出来る、特別な残渣処理が不要な糞尿処理装置を提案するものであって、請求項１に記載の本発明に係る糞尿処理装置は、後述する実施例との関係を理解し易くするために、当該実施例の説明において使用した参照符号を括弧付きで付して示すと、便器(1)からの糞尿を洗浄水と共に受け入れる第一処理タンク(2)と、この第一処理タンク(2)より高所に配設された第二処理タンク(3)と、この第二処理タンク(3)より低所に配設された最終処理タンク(4)とを備え、第一処理タンク(2)と第二処理タンク(3)とは、第一処理タンク(2)内に貯留された液状処理物を第二処理タンク(3)内へ送給するポンプ(5)を含む送給管路(6)と、第二処理タンク(3)内に貯留された液状処理物を第一処理タンク(2)内へオーバーフローにより戻すオーバーフロー管路(7)で接続され、このオーバーフロー管路(7)には、第一処理タンク(2)内の貯留液状処理物が設定水位(L1)を超えているときに閉じられる自動開閉手段(8)が設けられ、第二処理タンク(3)と最終処理タンク(4)とは、第二処理タンク(3)内の貯留液状処理物の水位が前記オーバーフロー管路(7)へのオーバーフロー水位(L2)より高い設定水位(L3)を超えたときに当該第二処理タンク(2)内の貯留液状処理物をサイフォン作用で最終処理タンク(4)内へ流出させるサイフォン管路(9)で接続され、最終処理タンク(4)には、当該最終処理タンク(4)内に貯留された最終処理済みの液状処理物を取り出す開閉自在な排出口(10)が設けられた構成になっている。
【０００６】
上記本発明を実施する場合、具体的には請求項２に記載のように、第一処理タンク(2)の長さ方向の一端外側に、最終処理タンク(4)の排出口(10)から排出される最終処理済み液状処理物を受け入れる容器(24)を出し入れ自在に支持する容器収納空間(25)を設け、この容器収納空間(25)の上に最終処理タンク(4)を配設し、この最終処理タンク(4)の上に第二処理タンク(3)を配設することが出来る。
【０００７】
又、請求項３に記載のように、第二処理タンク(3)の横には、便器(1)へ送給される洗浄水を収容する洗浄水タンク(26)を並設し、この第二処理タンク(3)と洗浄水タンク(26)とが、最終処理タンク(4)の水平面上の輪郭を上方に延長させた筒状空間を埋めるように構成することが出来る。
【０００８】
又、請求項４に記載のように、第二処理タンク(3)は、前記送給管路(6)が開口する第一槽(3A)と、前記オーバーフロー管路(7)とサイフォン管路(9)が設けられた第二槽(3B)とに仕切り、この第一槽(3A)と第二槽(3B)とは、第一槽(3A)内の上部と第二槽(3B)内の下部とを連通させる連通管路(13)で接続し、第二槽(3B)内の液状処理物がサイフォン管路(9)で最終処理タンク84)内へ流出するとき、前記連通管路(13)の上端開口水位以下の第一槽(3A)内の液状処理物が残されるように構成することが出来る。
【０００９】
サイフォン管路(9)は、単に管体を逆Ｕ字形に曲げ加工したものでも良いが、請求項５に記載のように、下端が最終処理タンク(4)内に開口する垂直固定管(36)と、この垂直固定管(36)に引き抜き可能に外嵌された上端閉塞外側管(37)とからサイフォン管路(9)を構成し、上端閉塞外側管(37)が垂直固定管(36)に対して外嵌された状態において、第二処理タンク(3)の底部に開口する上端閉塞外側管(37)の下端開口部と、垂直固定管(36)と上端閉塞外側管(37)との間の環状流路と、この環状流路の上端と垂直固定管(36)の上端を連通させる連通路（切欠き部38）が形成されるように構成し、第二処理タンク(3)には、前記上端閉塞外側管(37)の真上に位置する開閉自在な蓋(27)を設けることが出来る。
【００１０】
更に、請求項６に記載のように、オーバーフロー管路(7)に設けられた前記自動開閉手段(8)は、第一処理タンク(2)内の貯留液状処理物の水位の変動に連動して上下動するフロート(8a)と、このフロート(8a)と上下逆方向に連動してオーバーフロー管路(7)の出口(7d,7e)を開閉する弁体(33A,33B)から成る開閉弁(8b)とで構成し、前記弁体(33A,33B)が、第一処理タンク(2)内の貯留液状処理物が設定水位(L1)を超えたときにオーバーフロー管路(7)の出口(7d,7e)を閉じるように構成することが出来る。
【発明の効果】
【００１１】
請求項１に記載の本発明の構成によれば、糞尿を含む液状処理物を分解処理するための処理タンクを第一処理タンクと第二処理タンクとで構成し、この両タンク間で液状処理物を循環移動させることが出来るので、液状処理物の攪拌手段を特に併用しなくとも液状処理物を十分に攪拌することが出来、又、空気との接触も促進されるので、好気性の分解処理菌による分解処理が良好に行なわれる。しかも、第一処理タンク内の貯留液状処理物が設定水位を超えた場合、第二処理タンクから第一処理タンクへの液状処理物のオーバーフローによる戻しを自動的に停止し、この結果生じる第二処理タンク内の水位の上昇を利用して、第二処理タンク内の貯留液状処理物を最終処理タンクへ送給する動作をサイフォン管路により自動的に開始させることが出来るので、この第二処理タンクから最終処理タンクへの液状処理物の送給に関して、特別なセンサーやこのセンサーの動作に連動するポンプや電磁弁が不要であり、構造が極めて簡単になり、非常に安価に実施することが出来る。又、電気的制御回路や電気的に動作する機器が無いので、故障の恐れも少なく、保守管理も容易になる。
【００１２】
尚、請求項２に記載の構成によれば、便器の下側に第一処理タンクを設置し、第二処理タンク、最終処理タンク、及び最終処理済み液状処理物を受け入れる容器を出し入れ自在に支持する容器収納空間の三者を、第一処理タンク及び便器の後ろ側に上下方向に積層状態でまとめることが出来、糞尿処理装置を備えた便器設備全体をコンパクトにまとめて構成することが出来る。又、最終処理済み液状処理物は、最終処理タンクの排出口を開くだけで前記容器収納空間内にセットした容器に移し替えて容易に取り出すことが出来る。更に請求項３に記載の構成によれば、便器へ送給される洗浄水を収容する洗浄水タンクも含めて、糞尿処理装置を備えた便器設備全体をコンパクトにまとめて構成することが出来る。
【００１３】
又、請求項４に記載の構成によれば、最終処理タンクに移し替る前の液状処理物が、第一処理タンク、第二処理タンクの第一槽、及び第二処理タンクの第二槽の３つを循環することになるので、液状処理物に対する攪拌効果、空気との接触効果を一層高めることが出来、分解処理を一層効果的に行なわせることが出来る。しかも、最終処理タンクの容量に合わせて、第二処理タンクの第二槽の容量を設定することにより、第二処理タンク全体の容量に関係なく、第二処理タンクから最終処理タンクへの液状処理物のサイフォン管路による流出量を決めることが出来る。
【００１４】
更に、請求項５に記載の構成によれば、管体を単に逆Ｕ形に曲げてサイフォン管路を構成する場合に比較して、サイフォン管路の構成は複雑になるが、第二処理タンクの蓋を開けて上端閉塞外側管を上方に引き抜くことにより、サイフォン管路内の清掃が極めて簡単容易に行なえる。
【００１５】
又、請求項６に記載の構成によれば、オーバーフロー管路に設けられる自動開閉手段を、水位検出用センサーと電磁弁とで構成する場合と比較して、電気的な機器や制御回路が不要であり、非常に安価に実施することが出来る。
【図面の簡単な説明】
【００１６】
【図１】本発明一実施例に係る糞尿処理装置の全体の構成を説明する模式図である。
【図２】Ａ図は同上糞尿処理装置の具体実施例を示す側面図、Ｂ図は同背面図である。
【図３】同上糞尿処理装置の平面図である。
【図４】同上糞尿処理装置の第一処理タンクの蓋板及び最終処理タンクより上側を取り外した状態での一部切欠き平面図である。
【図５】Ａ図は図３のＡ−Ａ線断面図、Ｂ図は同Ａ図の要部拡大縦断側面図、Ｃ図は同Ａ図の要部の変形例を示す拡大縦断側面図である。
【図６】図３のＢ−Ｂ線断面図である。
【図７】図３のＣ−Ｃ線断面図である。
【図８】同上糞尿処理装置の最終処理タンク位置での横断一部切欠き平面図である。
【図９】図５ＡのＤ−Ｄ線位置での処理タンクの横断平面図である。
【図１０】Ａ図はサイフォン管路を構成する上端閉塞外側管の縦断側面図、Ｂ図は同垂直固定管の縦断側面図、Ｃ図は組み立てられたサイフォン管路の縦断側面図である。
【図１１】図１０ＣのＥ−Ｅ線拡大断面図である。
【発明を実施するための形態】
【００１７】
図１に基づいて本発明の一実施例に係る糞尿処理装置全体の基本構成を説明すると、便器１からの糞尿を洗浄水と共に受け入れる第一処理タンク２と、この第一処理タンク２より高所に配設された第二処理タンク３と、この第二処理タンク３より低所に配設された最終処理タンク４とを備え、第一処理タンク２と第二処理タンク３とは、第一処理タンク２内に貯留された液状処理物を第二処理タンク３内へ送給するポンプ５を含む送給管路６と、第二処理タンク３内に貯留された液状処理物を第一処理タンク２内へオーバーフローにより戻すオーバーフロー管路７で接続され、このオーバーフロー管路７には、第一処理タンク２内の貯留液状処理物が設定水位Ｌ１を超えているときに閉じられる自動開閉手段８が設けられ、第二処理タンク３と最終処理タンク４とは、第二処理タンク３内の貯留液状処理物の水位が前記オーバーフロー管路７へのオーバーフロー水位Ｌ２より高い設定水位Ｌ３を超えたときに当該第二処理タンク３内の貯留液状処理物をサイフォン作用で最終処理タンク４内へ流出させるサイフォン管路９で接続され、最終処理タンク４には、当該最終処理タンク４内に貯留された最終処理済みの液状処理物を取り出す開閉自在な排出口１０が設けられている。
【００１８】
自動開閉手段８は、第一処理タンク２内の液状処理物の水位の変動に伴って上下動するフロート８ａと、このフロート８ａの上下動に連動して開閉する開閉弁８ｂとから構成されている。第一処理タンク２には、貯留される液状処理物の水位が異常高水位Ｌ４に達したことを検出する水位センサー１１が設けられ、この水位センサー１１の検出信号により便器１の使用停止を表示する非常灯の点灯などが自動的に実行される。
【００１９】
第二処理タンク３内は、送給管路６が底部に開口する第一槽３Ａと、オーバーフロー管路７及びサイフォン管路９が設けられた第二槽３Ｂとに、仕切り板１２により二分割されている。そして、この第一槽３Ａと第二槽３Ｂとは、第一槽３Ａ内の上部、具体的にはオーバーフロー管路７の上端開口水位、即ち、オーバーフロー水位Ｌ２と略同一高さと第二槽３Ｂ内の底部とを連通させる連通管路１３で接続されている。この連通管路１３は、仕切り板１２のオーバーフロー水位Ｌ２と略同一高さに設けられた開口１３ａと、この開口１３ａの第二槽３Ｂ側を覆うように仕切り板１２に取り付けられた、上端閉塞で下端にのみ第二槽３Ｂ内に開放された開口１３ｂを形成する溝形材１３ｃによって形成されている。サイフォン管路９は、第二槽３Ｂ内の底部に開口する吸入側垂直管路９ａと、この吸入側垂直管路９ａの上端と設定水位Ｌ３の高さでＵターン部を介して接続された吐出側垂直管路９ｂとから成り、吐出側垂直管路９ｂは、最終処理タンク４内の上部に開口している。従って、このサイフォン管路９は、１本の管体の曲げ加工により構成することが可能である。
【００２０】
最終処理タンク４内には、底部近くにオゾン発生管１４が設けられると共に、この最終処理タンク４内の液状処理物の水位がオゾン発生管１４より若干高い設定水位Ｌ５に達したことを検出する水位センサー１５が設けられている。オゾン発生管１４は、水位センサー１５が最終処理タンク４内の液状処理物を検出しているとき、即ち、最終処理タンク４内の液状処理物の水位が設定水位Ｌ５より低くないとき、通電されてオゾンを発生するように自動制御される。
【００２１】
図１に示す基本構成での作用を説明すると、実際に便器１が使用可能な状態では、第一処理タンク２内と第二処理タンク３内には、分解促進菌を添加した水が貯蔵されていると共にポンプ５が稼働されて、第一処理タンク２内の液状処理物（分解促進菌添加水）が、送給管路６から第二処理タンク３の第一槽３Ａ内に送り込まれ、この第一槽３Ａ内から連通管路１３を経由して第二処理タンク３の第二槽３Ｂ内に流入し、そしてオーバーフロー管路７からオーバーフローして元の第一処理タンク２内に戻るように循環流動している。このときの第一処理タンク２内の液状処理物（分解促進菌添加水）の水位は、設定水位Ｌ１より低く、第二処理タンク３内の液状処理物（分解促進菌添加水）の水位は、オーバーフロー水位Ｌ２となっている。この状態で便器１が使用され、使用後には、図示省略しているが便器１に供給される洗浄水と共に糞尿が第一処理タンク２内に排出される。尚、便器１の排出口１ａには、洗浄水の流出時に自動的に開く周知の自動開閉蓋を併設しておくことが出来る。
【００２２】
第一処理タンク２内に排出された糞尿を含む液状処理物は、上記のように第一処理タンク２内と第二処理タンク３の第一槽３Ａ及び第二槽３Ｂをこの順に循環流動する間に分解されるが、このときの第二処理タンク３内での液状処理物の流れは、第一槽３Ａの底部から上昇し、この第一槽３Ａの上部から第二槽３Ｂの底部に移り、この第二槽３Ｂの底部から上昇し、この第二槽３Ｂの上部からオーバーフロー管路７に流出することになるので、第二処理タンク３内での液状処理物の滞留はない。而して、便器１の使用回数が増えるに従って第一処理タンク２内の液状処理物の水位が上昇することになり、この第一処理タンク２内の液状処理物の水位が設定水位Ｌ１に達すると、当該液状処理物の水位の上昇に伴って上動する自動開閉手段８のフロート８が開閉弁８ｂを閉じるので、それ以降は、第二処理タンク３の第二槽３Ｂ内からオーバーフロー管路７を経由して第一処理タンク２内に戻る液状処理物のオーバーフローが止まることになる。
【００２３】
第二処理タンク３内から第一処理タンク２内への液状処理物のオーバーフローが止まってもポンプ５は稼働し続けており、第一処理タンク２内の液状処理物が送給管路６を経由して第二処理タンク３の第一槽３Ａ内に送り出されるので、第二処理タンク３内の液状処理物の水位がオーバーフロー水位Ｌ２から上昇し、その結果、第二処理タンク３内の液状処理物の水位が設定水位Ｌ３に到達することになる。液状処理物の水位が設定水位Ｌ３に到達すると、それ以降に第一処理タンク２内からポンプアップされる液状処理物は、サイフォン管路９の吸入側垂直管路９ａの上端から吐出側垂直管路９ｂ内に流出し、当該吐出側垂直管路９ｂ内での液状処理物の重力による流下に伴って当該サイフォン管路９内にサイフォン作用が生じ、それ以降は、当該サイフォン作用により第二処理タンク３内の液状処理物がサイフォン管路９を経由して最終処理タンク４内に自動的に排出される。ここでサイフォン管路９を経由して最終処理タンク４内に自動的に排出される液状処理物の単位時間当りの流量は、ポンプ５によって送給管路６から第二処理タンク３に送給される単位時間当りの流量よりも大きくなるように構成されている。
【００２４】
従って、ポンプ５が連続稼働されていて、第一槽３Ａから第二槽３Ｂへの連通管路１３を経由しての液状処理物の流入が継続されていても、サイフォン作用により第二槽３Ｂ内の液状処理物が最終処理タンク４内に排出されるのに伴って当該第二槽３Ｂ内の液状処理物の水位が下がり、当該第二槽３Ｂ内の液状処理物の水位がサイフォン管路９の吸入側垂直管路９ａの下端開口より低くなって当該吸入側垂直管路９ａが開放されたときに、サイフォン管路９を経由しての最終処理タンク４への液状処理物の排出が終了する。
【００２５】
即ち、第一処理タンク２内の液状処理物の水位が設定水位Ｌ１に達するまでは、液状処理物は第一処理タンク２内と第二処理タンク３内とを循環流動し続け、この間に液状処理物の分解処理が行なわれ、第一処理タンク２内の液状処理物の水位が設定水位Ｌ１に達した以後に第二処理タンク３の第二槽３Ｂ内の分解処理済みの液状処理物が自動的に最終処理タンク４内に移し替られる。そして、ポンプ５による第一処理タンク２から第二処理タンク３への液状処理物の送給が継続していることにより、第一処理タンク２内の液状処理物の水位が設定水位Ｌ１以下に下がると共に、第二処理タンク３の連通管路１３を経由しての第一槽３Ａから第二槽３Ｂへの液状処理物の流入の結果、第二処理タンク３内の液状処理物の水位がオーバーフロー水位Ｌ２より高くなると、再び、液状処理物が第一処理タンク２内と第二処理タンク３内とを循環流動する元の状態に復帰する。若し、便器１の使用頻度が高くて第一処理タンク２内の液状処理物の水位が設定水位Ｌ１以下に下がらないで上昇し続けるときは、第一処理タンク２内の液状処理物の水位が水位センサー１１で検出される異常高水位Ｌ４に達し、便器１の使用停止を表示する非常灯の点灯などが自動的に実行される。
【００２６】
一方、サイフォン管路９によるサイフォン作用で第二処理タンク３から最終処理タンク４へ排出される液状処理物の量は、当該最終処理タンク４での最適処理容量となるように、オーバーフロー水位Ｌ２とサイフォン作用が開始される設定水位Ｌ３との間の水位差、第二処理タンク３の第二槽３Ｂの容量、及びサイフォン管路９の吸入側垂直管路９ａにおける下端開口水位、などが設定されている。而して、最終処理タンク４内に液状処理物が流入すると、当該最終処理タンク４内の液状処理物の水位が設定水位Ｌ５に達した時点、即ち、オゾン発生管１４が液状処理物中に埋没する時点で水位センサー１５が働き、オゾン発生管１４に通電され、この最終処理タンク４内に移し替られた液状処理物に対するオゾン処理、即ち、殺菌・消臭処理が実行される。このオゾン発生管１４による殺菌・消臭処理の時間はタイマー制御され、当該オゾン発生管１４に通電された後の経過時間が設定時間に達したことをもってオゾン発生管１４への通電が断たれ、この最終処理タンク４からの処理済み液状物の取り出しを促す表示灯の自動点灯などが実行される。従って、管理者などは、最終処理タンク４の排出口１０を開いて、当該排出口１０から排出される処理済み液状物を容器などに移し替て然るべく処理することが出来る。勿論、最終処理タンク４から取り出される処理済み液状物の性状によっては、当該排出口１０から土中や雨水処理管路などに処理済み液状物を直接放流するように構成しても良い。
【００２７】
又、第二処理タンク３は２槽構造に限定されるものではなく、３槽又はそれ以上の多槽構造としても良いし、逆に１槽構造としても良い。第二処理タンク３を複数槽構造とする場合、送給管路６の第二処理タンク３（第一槽３Ａ）内に対する開口位置は、底部ではなく槽上部とし、逆に槽間の連通管路１３は、上手側の槽内の底部から下手側の槽内の上部に開口する構造とすることも出来る。
【００２８】
次に、上記の基本構成の本発明による糞尿処理装置の具体的実施例を、図２〜図１１に基づいて説明する。尚、この具体的実施例の作用は、上記基本構成での作用と基本的に同じであるので、異なる点についてのみ作用を補足する。
【００２９】
この実施例における糞尿処理装置は、図２及び図３に示すように、脚部２１ａを介して床面２０上に支持される下側水平タンク構造体２１と、当該下側水平タンク構造体２１の後端部上側に立設された上側垂直タンク構造体２２とを備え、下側水平タンク構造体２１の上側で上側垂直タンク構造体２の前側に便器１が配置される。この便器１は、下側水平タンク構造体２１の左右両側で床面２０上に設置される枠構造体２３間に支持され、当該枠構造体２３には、便器１の左右両側に位置する手摺り部２３ａと便器１の後側上方に位置する背もたれ部２３ｂとを備えている。
【００３０】
下側水平タンク構造体２１は、図４及び図５に示すように、第一処理タンク２と、最終処理済み液状処理物を受け入れる容器２４を出し入れ自在に支持する容器収納空間２５を形成するもので、第一処理タンク２は、便器１の排出口１ａが嵌合する開口部２ａを形成する円筒状囲壁２ｂが上向きに突設されたカバー板２ｃで上側が閉じられる。容器収納空間２５は、第一処理タンク２の後側垂直壁となる垂直仕切り板２１ｂよりも後方へ延出する底板部２１ｃと左右両側板部２１ｄ、及び当該左右両側板部２１ｄの後端部間を閉じるように取り付けられた、後方に突曲する後側カバー板２１ｅによって、第一処理タンク２の後側に連設されている。後側カバー板２１ｅには、容器２４を出し入れするための開口２１ｆが設けられている。前記ポンプ５は、容器収納空間２５の底板部２１ｃ上の、出し入れされる容器２４と干渉しない横側部に設置されている。
【００３１】
上側垂直タンク構造体２２は、図５〜図９に示すように、下側水平タンク構造体２１の後端部上に、容器収納空間２５の上側開放端部を閉じるように載置固定されており、容器収納空間２５を上方に延長させた、後側壁部が後方に突曲した筒状空間を埋める輪郭を有するものであって、中間高さに張設された水平仕切り板２２ａと底板部２２ｂとの間で最終処理タンク４を形成すると共に、水平仕切り板２２ａの上側空間を前後２つに区画する平面視コ字形の垂直仕切り板２２ｃによって、当該垂直仕切り板２２ｃの前側の平面視コ字形の第二処理タンク３と、当該垂直仕切り板２２ｃの後側の平面視矩形の洗浄水タンク２６を形成している。第二処理タンク３の連通管路１３を備えた仕切り板１２は、前記垂直仕切り板２２ｃと上側垂直タンク構造体２２の前側壁部との間で水平仕切り板２２ａの上に垂直に張設されている。前後に並列する第二処理タンク３と洗浄水タンク２６とは、共通の着脱自在な蓋２７によって上端が開閉可能であり、当該蓋２７の洗浄水タンク２６の真上位置には、開閉自在なキャップ２６ａを備えた給水口が設けられている。更に、上側垂直タンク構造体２２の後側壁部には、洗浄水タンク２６内の水量を視覚でチェックするための上下方向に細長い水位確認用透明窓２６ｂが設けられている。
【００３２】
第一処理タンク２と第二処理タンク３の第一槽３Ａとを接続する送給管路６は、図４に示すように、下側水平タンク構造体２１の垂直仕切り板２１ｂに設けられた開口とポンプ５の吸引口とを接続する水平管体６ａと、図６に示すように、上側垂直タンク構造体２２の水平仕切り板２２ａに上端が固着された状態で最終処理タンク４内を貫通し且つ下端部が上側垂直タンク構造体２２の底板部２２ｂを下向きに貫通する垂直管体６ｂと、この垂直管体６ｂの下端部とポンプ５の吐出口とを接続する接続管体６ｃとで構成されている。この接続管体６ｃは容器収納空間２５内に配設されるので、当該接続管体６ｃは、容器収納空間２５に出し入れされる容器２４と干渉しない高さに配設されている。又、図４に示すように、第一処理タンク２内には、送給管路６の水平管体６ａが開口する下側水平タンク構造体２１の垂直仕切り板２１ｂの内側コーナー部を囲むように平面視円弧形にフィルター用ネット２８が張設されている。
【００３３】
オーバーフロー管路７は、図５及び図７に示すように、上側垂直タンク構造体２２の底板部２２ｂと水平仕切り板２２ａを貫通して第二処理タンク３内のオーバーフロー水位Ｌ２で開口する垂直管体７ａと、下側水平タンク構造体２１の垂直仕切り板２１ｂを水平に貫通する水平管体７ｂと、垂直管体７ａの下端と水平管体７ｂとを接続する接続管体７ｃとから構成されている。このオーバーフロー管路７を開閉する前記自動開閉手段８のフロート８ａは、図４及び図５Ｂに示すように、下側水平タンク構造体２１の垂直仕切り板２１ｂの第一処理タンク２側に固着突設された軸受け板２９に水平支軸３０の周りで上下揺動自在に軸支された揺動アーム３１に支持杆３２を介して支持され、このフロート８ａに連動する開閉弁８ｂは、水平支軸３０に対してフロート８ａのある側とは反対側で前記揺動アーム３１に取り付けられた、水平支軸３０と同心状の円弧形弁板３３Ａで構成され、オーバーフロー管路７を構成する水平管体７ｂの第一処理タンク２側の開口端７ｄを円弧形弁板３３が直接開閉するように構成している。従って、水平管体７ｂの第一処理タンク２側の開口端７ｄは、水平支軸３０と同心状の円弧形に形成されている。
【００３４】
上記構成の自動開閉手段８の構成によれば、第一処理タンク２内の液状処理物の水位の上昇に伴ってフロート８ａが水平支軸３０の周りで上方に揺動し、これに連動して円弧形弁板３３Ａが水平支軸３０の周りで下方に揺動する。そして、第一処理タンク２内の液状処理物の水位が設定水位Ｌ１に達したとき、円弧形弁板３３Ａがオーバーフロー管路７を構成する水平管体７ｂの第一処理タンク２側の円弧形開口端７ｄを閉じる。尚、この円弧形弁板３３が水平管体７ｂの円弧形開口端７ｄを閉じたとき、両者間に隙間があって、オーバーフロー管路７から第一処理タンク２内へ液状処理物が流入しても、その量が僅かであるように構成しておけば、所期の作用に影響は及ばない。又、円弧形弁板３３Ａが水平管体７ｂの円弧形開口端７ｄを閉じたとき、フロート８ａは第一処理タンク２の上側壁部、即ち、カバー板２ｃの下側に当接して、それ以上の上方への揺動は阻止されるので、円弧形弁板３３が水平管体７ｂの開口端を下方に通過して、再び水平管体７ｂの開口端が開いてしまうことは無いが、円弧形弁板３３が水平管体７ｂの円弧形開口端７ｄを閉じた位置から下方に揺動するのを阻止するストッパーを別に設けても良い。
【００３５】
図５Ｃは、自動開閉手段８の開閉弁８ｂの変形例を示している。即ち、オーバーフロー管路７を構成する水平管体７ｂの第一処理タンク２側の端部は、斜めに切断されて斜め前方上方に向かって開口する傾斜開口端７ｅに構成され、揺動アーム３１には、前記円弧形弁板３３Ａに代えて偏平板状弁板３３Ｂが取り付けられ、第一処理タンク２内の液状処理物の水位が設定水位Ｌ１に達したとき、偏平板状弁板３３Ｂが水平管体７ｂの傾斜開口端７ｅに上から重なって閉じるように構成している。この構成によれば、水平管体７ｂの第一処理タンク２側の端部や弁体の加工が容易になるばかりでなく、フロート８ａに作用する浮力を利用して水平管体７ｂの傾斜開口端７ｅを偏平板状弁板３３Ｂで確実に閉塞することができる。又、フロート８ａの上動を制限するストッパーも別途設ける必要がない。尚、図示のように、偏平板状弁板３３Ｂは揺動アーム３１に対して所定角度で固着するのではなく、水平支軸３１ａの周りに揺動自在に軸支して、水平管体７ｂの傾斜開口端７ｅに偏平板状弁板３３Ｂが確実に密着できるように構成するのが望ましい。
【００３６】
最終処理タンク４に設けられるオゾン発生管１４と水位センサー１５とは、図５Ａ、図６、及び図８に示すように、上側垂直タンク構造体２２の前側壁部に設けられた開口３４を外側から開閉する着脱自在なカバー板３５の内側に取り付けられ、開口３４を閉じるようにカバー板３５を上側垂直タンク構造体２２の前側壁部の外側に取り付けることにより、オゾン発生管１４と水位センサー１５と最終処理タンク４内に所定の高さで突出するように構成されている。尚、オゾン発生管１４は、カバー板３５の外側に取り付けられたソケット本体１４ａからカバー板３５の内側に突出するソケット部１４ｂに対して抜き差し自在なものである。従って、オゾン発生管１４の交換や水位センサー１５のメンテナンスは、カバー板３５を取り外してこれらオゾン発生管１４と水位センサー１５を最終処理タンク４内から一体に取り出した状態で容易に行なうことが出来る。
【００３７】
第二処理タンク３の第二槽３Ｂに設けられるサイフォン管路９は、図１に例示した、１本の管体を逆Ｕ字形に曲げ加工したものとは異なっている。即ち、図７及び図９に示すように、サイフォン管路９は、吐出側垂直管路９ｂを形成する垂直固定管３６と、この垂直固定管３６に外嵌して、当該垂直固定管３６の周囲で環状に吸入側垂直管路９ａを形成する上端閉塞外側管３７とで構成されている。詳細に説明すると、図１０及び図１１に示すように、垂直固定管３６は、第二処理タンク３の第二槽３Ｂの底板、即ち、上側垂直タンク構造体２２の水平仕切り板２２ａの上側に下端が垂直に固着され、その下側開口端は、当該水平仕切り板２２ａの下側、即ち、最終処理タンク４内に開口している。この垂直固定管３６の上側開口端には、下辺が設定水位Ｌ３と一致するように、周方向複数の切欠き部３８が設けられている。又、この垂直固定管３６の外周には、下端近傍位置と上端近傍位置との２箇所において、周方向複数の羽根板３９が放射状に突設されている。
【００３８】
上端閉塞外側管３７は、垂直固定管３６より長さが少し短い管体の上端を蓋板３７ａで閉じたものであって、当該上端閉塞外側管３７を垂直固定管３６に外嵌させたとき、垂直固定管３６側の羽根板３９に内周面が隣接して当該外嵌して垂直固定管３６と略同心状に位置決めされる内径と、当該上端閉塞外側管３７の蓋板３７ａが垂直固定管３６の上端に支持されたとき、この上端閉塞外側管３７の下側開口端が第二処理タンク３の第二槽３Ｂの底板（上側垂直タンク構造体２２の水平仕切り板２２ａ）から少し上側で開口する長さとを備えている。このサイフォン管路９の作用は、図１に例示した、１本の管体を逆Ｕ字形に曲げ加工したものと同一であり、垂直固定管３６と上端閉塞外側管３７との間に形成される環状の吸入側垂直管路９ａ内の水位は、第二処理タンク３内の液状処理物の水位と同じであり、この吸入側垂直管路９ａ内の水位が設定水位Ｌ３を超えると、当該環状の吸入側垂直管路９ａ内の液状処理物が垂直固定管３６の上端の切欠き部３８を経由して吐出側垂直管路９ｂである垂直固定管３６内に流入し、この垂直固定管３６内を経由して下側の最終処理タンク４内に流出する。
【００３９】
上記構成のサイフォン管路９によれば、上側垂直タンク構造体２２の上端の蓋２７を外して第二処理タンク３の上端を開放させると、上端閉塞外側管３７を垂直固定管３６に対して上方に引き抜くことが出来、上端閉塞外側管３７の内側や垂直固定管３６の内外両側の清掃なども容易に行なえる。勿論、サイフォン管路９の構成は上記のものに限定されない。例えば、上端閉塞外側管３７の長さを長くして、その下端が第二処理タンク３の第二槽３Ｂの底板（上側垂直タンク構造体２２の水平仕切り板２２ａ）上で支持されるようにすると共に、当該上端閉塞外側管３７の下端に、液状処理物が流入する切欠き部又は開口を設け、垂直固定管３６は短くして、その上端が上端閉塞外側管３７の蓋板３７ａの下側で上向きに開口させても、同一の作用を行なうサイフォン管路９を構成することが出来る。
【００４０】
尚、第二処理タンク３や洗浄水タンク２６の上端開口部を閉じる蓋２７は気密性のないものであって、蓋２７を閉じていても第二処理タンク３や洗浄水タンク２６は、その上端において大気に開放されている。従って、密閉構造となっている最終処理タンク４内の空気抜きとして、当該最終処理タンク４内の上端、即ち、上側垂直タンク構造体２２の水平仕切り板２２ａの下側に下側開口端が開口する垂直な空気抜き管体４０を、その上側開口端が第二処理タンク３内の設定水位Ｌ３よりも上側に位置するように、上側垂直タンク構造体２２内の垂直仕切り板２２ｃの第二処理タンク３側に沿わせて固着することが出来る。
【００４１】
最終処理済み液状処理物を受け入れる容器２４は、図４及び図５Ａに示すように、下側水平タンク構造体２１の後端の後側カバー板２１ｅに設けられた開口２１ｆから差し入れて、容器収納空間２５の底板部２１ｃ上で支持させることが出来るものであって、開口２１ｆの左右両側で後側カバー板２１ｅに当接する正面板２４ａには把手２４ｂが設けられている。図示のように容器２４が容器収納空間２５内に差し入れてセットされた状態では、当該容器収納空間２５の上側の最終処理タンク４の開閉自在な排出口１０が当該容器２４の上側開放部に下向きに対向しており、この排出口１０が備える開閉弁１０ａを、当該容器２４の正面板２４ａの上側に露出している開口２１ｆを通じて外側から開閉操作することができる。尚、図示では、容器収納空間２５の底板部２１ｃが短く、容器２４の全体を支持できない構造となっているが、当該底板部２１ｃを後側カバー板２１ｅの直下又はその近くまで延出させても良い。
【００４２】
洗浄水タンク２６は、図５Ａに示すように、その底部から下側の最終処理タンク４内を貫通して上側垂直タンク構造体２２の底板部２２ｂから下側の容器収納空間２５内に突出する垂直給水管４１を備えており、図示省略しているが、垂直給水管４１に接続された送水ポンプから便器１に洗浄水を送給できるように構成されている。
【００４３】
尚、第一処理タンク２内や第二処理タンク３内での液状処理物の分解処理、及び最終処理タンク４内での殺菌・消臭処理を促進させるために、図４〜図６、図８、及び図９にそれぞれ仮想線で示すように、これら第一処理タンク２、第二処理タンク３、及び最終処理タンク４の内側底面上には、エアーブロー管４２〜４５を敷設し、例えば図２Ａ及び図５Ａに仮想線で示すように、便器１と上側垂直タンク構造体２２との間で下側水平タンク構造体２１の上側、具体的には第一処理タンク２のカバー板２ｃの上側に設置したエアーポンプ４６から各エアーブロー管４２〜４５に送気して、第一処理タンク２内、第二処理タンク３内、及び最終処理タンク４内の液状処理物に対してエアーレーションを行えるように構成することが出来る。又、図５Ａに示すように、第一処理タンク２には、清掃などのために内部の液状処理物を排出するための開閉自在栓４７を設けることが出来る。
【産業上の利用可能性】
【００４４】
本発明に係る糞尿処理装置は、特に介護用として建屋内において使用する便器から洗浄水と共に排出される糞尿処理装置として活用できる。
【符号の説明】
【００４５】
１    便器
２    第一処理タンク
３    第二処理タンク
３Ａ    第一槽
３Ｂ    第二槽
４    最終処理タンク
５    ポンプ
６    送給管路
７    オーバーフロー管路
８    自動開閉手段
８ａ    フロート
８ｂ    開閉弁
９    サイフォン管路
９ａ    吸入側垂直管路
９ｂ    吐出側垂直管路
１０    開閉自在な排出口
１１，１５    水位センサー
１２，２１ｂ，２２ａ，２２ｃ    仕切り板
１３    連通管路
１４    オゾン発生管
２１    下側水平タンク構造体
２１ｃ，２２ｂ    底板部
２１ｅ    後側カバー板
２２    上側垂直タンク構造体
２３    枠構造体
２３ａ    手摺り部
２３ｂ    背もたれ部
２４    最終処理済み液状処理物を受け入れる容器
２５    容器収納空間
２６    洗浄水タンク
２７    上側垂直タンク構造体の蓋
２８    フィルター用ネット
３６    垂直固定管
３７    上端閉塞外側管
３８    切欠き部
３９    羽根板
４０    空気抜き管体
４１    垂直給水管
４２〜４５    エアーブロー管
４６    エアーポンプ
４７    開閉自在栓
【図１】
2011240239.tif 000003
【図２】
2011240239.tif 000004
【図３】
2011240239.tif 000005
【図４】
2011240239.tif 000006
【図５】
2011240239.tif 000007
【図６】
2011240239.tif 000008
【図７】
2011240239.tif 000009
【図８】
2011240239.tif 000010
【図９】
2011240239.tif 000011
【図１０】
2011240239.tif 000012
【図１１】
2011240239.tif 000013